(57)【特許請求の範囲】
【請求項１】
共有空間を画定する所定位置に立設される少なくとも一対のポールと、前記ポール同士にそれぞれ連結されることで、ほぼ水平状態に支持されるフレームとの組み合わせからなるフレーム構造体であって、
前記フレームは、前記ポールにおける上下方向の所定位置に連結される上部フレームと、前記ポールにおける前記上部フレームよりも下方位置に連結される下部フレームと、により構成されており、前記上部フレームの下面及び前記下部フレームの上面には、該両フレームの長手方向に延びる支持体が取り付けられ、第１パネル体が前記支持体における幅方向の中央部に取り付けられるとともに、第２パネル体が前記支持体における幅方向の前部及び後部の少なくとも一方に取り付けられ、該第２パネル体が前記両フレームの長手方向に移動可能になっていることを特徴とするフレーム構造体。
【請求項２】
前記第１パネル体が、前記支持体に移動不能に取り付けられていることを特徴とする請求項１に記載のフレーム構造体。
【請求項３】
前記第１及び第２パネル体の上下端縁が、前記支持体の長手方向に延設された溝条により支持されていることを特徴とする請求項１または２に記載のフレーム構造体。
【請求項４】
前記第２パネル体の上端縁を支持する溝条の開口部には、外方に向かって突出された突出条が形成され、該突出条が上方に行くに従い前記支持体の中央部に向かって傾斜される傾斜面を有することを特徴とする請求項１ないし３のいずれかに記載のフレーム構造体。
【請求項５】
前記上部フレームの下面及び前記下部フレームの上面には、前記支持体の中央部に形成された係合凸部が係合される係合溝が形成されており、前記係合凸部を貫通した螺子部材が前記フレームに螺着されることを特徴とする請求項１ないし４のいずれかに記載のフレーム構造体。
【請求項６】
少なくとも前記第２パネル体が、ホワイトボードにより構成されていることを特徴とする請求項１ないし５のいずれかに記載のフレーム構造体。
【発明の詳細な説明】
【技術分野】
【０００１】
本発明は、共有空間を画定する所定位置に立設される少なくとも一対のポールと、前記ポール同士にそれぞれ連結されることで、ほぼ水平状態に支持されるフレームとの組み合わせからなるフレーム構造体に関する。
【背景技術】
【０００２】
従来、オフィス等のオープン化を図り、コミュニケーションを活発化させるという目的から、共有空間を画定する床面の所定位置にポールを安定的に立設させ、互いのポールの上部にフレームを連結し、フレームをほぼ水平状態に支持させることにより、それ以外の外部空間と充分開放された関係で連接している共有空間構造体（フレーム構造体）が知られている。この共有空間構造体には、移動扉（第２パネル体）を設けることで、共有空間と外部空間との連通及び遮断を行えるようにしたものがある（例えば、特許文献１参照）。
【０００３】
【特許文献１】特開２００５−１３９８０２号公報（第４頁、第１図）
【発明の開示】
【発明が解決しようとする課題】
【０００４】
しかしながら、特許文献１に記載の共有空間構造体（フレーム構造体）にあっては、移動扉（第２パネル体）が上方に配置されたフレーム部材に設けられた上部受材に滑車によって吊下げ支持されるとともに、移動扉の下部が固定的に設けられたパネル体（第１パネル体）の下縁に設けられたガイド部材に案内されて移動されるようになっており、移動扉はパネル体の近傍にしか配置できないばかりか、移動扉を閉じた状態では、移動扉の下部におけるガイド部材から外れた部位がぐらついてしまう問題がある。
【０００５】
本発明は、このような問題点に着目してなされたもので、共有空間を画定するポールとフレームとの組み合わせからなるフレーム構造体において、フレームの長手方向のいかなる部位であってもパネル体を設置でき、かつパネル体がぐらつくことを防止できるフレーム構造体を提供することを目的とする。
【課題を解決するための手段】
【０００６】
前記課題を解決するために、本発明の請求項１に記載のフレーム構造体は、
共有空間を画定する所定位置に立設される少なくとも一対のポールと、前記ポール同士にそれぞれ連結されることで、ほぼ水平状態に支持されるフレームとの組み合わせからなるフレーム構造体であって、
前記フレームは、前記ポールにおける上下方向の所定位置に連結される上部フレームと、前記ポールにおける前記上部フレームよりも下方位置に連結される下部フレームと、により構成されており、前記上部フレームの下面及び前記下部フレームの上面には、該両フレームの長手方向に延びる支持体が取り付けられ、第１パネル体が前記支持体における幅方向の中央部に取り付けられるとともに、第２パネル体が前記支持体における幅方向の前部及び後部の少なくとも一方に取り付けられ、該第２パネル体が前記両フレームの長手方向に移動可能になっていることを特徴としている。
この特徴によれば、上部及び下部フレームの形状に係らず支持体を介して第１パネル体及び第２パネル体を組み合わせることができ、かつ上下の支持体により第１及び第２パネル体が安定的に支持され、両フレームの長手方向のいかなる部位であっても第２パネル体を設置できるとともに、第１パネル体を両フレームの幅方向の中央部に支持して、その前部または後部に第２パネル体を支持できるため、第１パネル体を中心として安定的に第２パネル体を支持することができ、かつ支持体の幅方向における両パネル体の配置位置が異なるため、第１パネル体が第２パネル体の移動の邪魔にならずに済むようになり、第２パネル体をフレームの長手方向の全長に渡って移動させることができる。
【０００７】
本発明の請求項２に記載のフレーム構造体は、請求項１に記載のフレーム構造体であって、
前記第１パネル体が、前記支持体に移動不能に取り付けられていることを特徴としている。
この特徴によれば、第１パネル体によって共有空間と外部空間とを固定的に仕切ることができる。
【０００８】
本発明の請求項３に記載のフレーム構造体は、請求項１または２に記載のフレーム構造体であって、
前記第１及び第２パネル体の上下端縁が、前記支持体の長手方向に延設された溝条により支持されていることを特徴としている。
この特徴によれば、各パネル体を支持体における長手方向のいずれの位置であっても設けることができるばかりか、各溝条により各パネル体の上下端縁が強固に支持される。
【０００９】
本発明の請求項４に記載のフレーム構造体は、請求項１ないし３のいずれかに記載のフレーム構造体であって、
前記第２パネル体の上端縁を支持する溝条の開口部には、外方に向かって突出された突出条が形成され、該突出条が上方に行くに従い前記支持体の中央部に向かって傾斜される傾斜面を有することを特徴としている。
この特徴によれば、第２パネル体の上端縁を支持する溝条が上方に行くに従って広がる形状となり、第２パネル体の上端縁を斜め下方から溝条に挿入し、その後、第２パネル体を垂直状態に立設すれば、第２パネル体の上端縁が溝条の開口部により前後両面から支持されるようになり、第２パネル体の取付作業を容易に行える。
【００１０】
本発明の請求項５に記載のフレーム構造体は、請求項１ないし４のいずれかに記載のフレーム構造体であって、
前記上部フレームの下面及び前記下部フレームの上面には、前記支持体の中央部に形成された係合凸部が係合される係合溝が形成されており、前記係合凸部を貫通した螺子部材が前記フレームに螺着されることを特徴としている。
この特徴によれば、支持体が上部及び下部フレームに対して取り付けられた際に、支持体がぐらつくことなく強固に取り付けられ、第２パネル体が支持体の前部または後部に取り付けられても、第２パネル体の荷重により支持体が傾くようなことがなくなるばかりか、螺子部材が支持体の中央部に取り付けられた第１パネル体によって隠蔽されるようになる。
【００１１】
本発明の請求項６に記載のフレーム構造体は、請求項１ないし５のいずれかに記載のフレーム構造体であって、
少なくとも前記第２パネル体が、ホワイトボードにより構成されていることを特徴としている。
この特徴によれば、共有空間を外部空間と仕切るパネル体をホワイトボードとして兼用させることができ、共有空間において会議等を行う際に便利である。尚、第２パネル体は、第１パネル体よりも外方側に配置されるため、第２パネル体の清掃や着脱を容易に行うことができる。
【発明を実施するための最良の形態】
【００１２】
本発明に係るフレーム構造体を実施するための最良の形態を実施例に基づいて以下に説明する。
【実施例】
【００１３】
本発明の実施例を図面に基づいて説明すると、先ず図１は、本実施例における共有空間構造体の全体像を示す斜視図であり、図２は、共有空間構造体を示す正面図であり、図３は、フレームとポールの連結状態を示す要部拡大正面図であり、図４は、図２における上部フレームを示すＡ−Ａ拡大縦断側面図であり、図５は、図２における中間部フレームを示すＡ−Ａ拡大縦断側面図であり、図６は、図２におけるポールを示すＢ−Ｂ横断平面図であり、図７（ａ）は、上部エンドカバーを示す平面図であり、図７（ｂ）は、上部エンドカバーを示す側面図であり、図７（ｃ）は、上部エンドカバーを示す正面図であり、図８（ａ）は、下部エンドカバーを示す平面図であり、図８（ｂ）は、下部エンドカバーを示す側面図であり、図８（ｃ）は、下部エンドカバーを示す正面図であり、図９は、第２閉塞部材が中間部フレームに取り付けられる状態を示す縦断側面図である。以下、図２及び図３の紙面手前側を共有空間構造体の正面側（前方側）とし、図４、図５、図９の紙面左方側を共有空間構造体の正面側（前方側）とし、図６の紙面下方側を共有空間構造体の正面側（前方側）として説明する。
【００１４】
図１の符号１は、本発明の適用された共有空間構造体（フレーム構造体）であり、この共有空間構造体１はオフィス等の屋内空間で使用され、コミュニケーションスペース（共有空間）を他のオフィス等の空間（外部空間）と区別するものであり、オフィス等の床面Ｙの所定位置に立設されている。また、この共有空間構造体１は、天井近傍までの高さを有する円柱状の４本のポール２と、隣り合う２本のポール２間の上部に水平状態に渡される４本の上部フレーム３から構築されている。
【００１５】
この共有空間構造体１には、隣り合う２本のポール２，２と、この２本のポール２，２の上端部間に架設された上部フレーム３と、によって形成された開放領域４が複数（４面）設けられている。また、これら複数の開放領域４うち２つの開放領域４には、２本のポール２，２間の上下方向の中央位置よりも若干下方位置に、上部フレーム３と平行をなす本実施例における下部フレームとしての中間部フレーム５が架設されている。
【００１６】
１つの開放領域４における上部フレーム３には、上部を吊持され、床面Ｙに脚で立設したパネル装置７等が備えられている。また、中間部フレーム５が架設された２つの開放領域４，４における上部フレーム３と中間部フレーム５との間には、掲示物を貼り付けたり、マジックペンにより連絡事項等を記入可能なホワイトボード部８を構成するパネル体１３，１４が複数枚設けられているとともに、中間部フレーム５と床面Ｙとの間には、共有空間を外部空間から隠蔽するブラインド部９が設けられ、これらホワイトボード部８及びブラインド部９により開放領域４，４が閉塞されている。
【００１７】
この中間部フレーム５の正面及び背面には、オプション部材を取り付けるための上下一対の取付溝１５が左右方向に渡って設けられており、これら取付溝１５には、電子機器としてのノートパソコンＰを載置するパソコン支持台１２などのオプション部材が取り付けられる。パソコン支持台１２は、共有空間構造体１における内方側及び外方側のいずれにも配置することができる。また、上部フレーム３にも中間部フレーム５と同様の取付溝１６が形成されており、前述したパネル装置７の上部は、上部フレーム３の取付溝１６に吊持されている。
【００１８】
尚、中間部フレーム５とブラインド部９との間には、中間部フレーム５に沿って延設された配線ダクト１０が設けられており、室内のコンセント等の外部電源から延設された電源ケーブル（図示略）や電源タップ（図示略）や信号ケーブル（図示略）等の配線を収納することができる。
【００１９】
図２に示すように、ホワイトボード部８には、本実施例における第１パネル体としての１枚の固定パネル体１３と、本実施例における第２パネル体としての２枚の移動パネ体１４とが配置されており、これらパネル体１３，１４の正面及び背面の表面がホワイトボードとして形成されている。尚、移動パネル体１４は、上部及び中間部フレーム３，５の長手方向（左右方向）に移動可能になっているとともに、固定パネル体１３は、上部及び中間部フレーム３，５に対して移動不能に取り付けられている。
【００２０】
移動パネル体１４は、その上下方向の長さが上部及び中間部フレーム３，５間の長さと略同一となっており、その左右方向の長さが上部及び中間部フレーム３，５の左右方向の長さよりも短寸に形成されている。そして、移動パネル体１４の上端縁が上部フレーム３の下面に取り付けられた本実施例における支持体としての上部支持レール１７に支持されるとともに（図４参照）、その下端縁が中間部フレーム５の上面に取り付けられた本実施例における支持体としての下部支持レール１８に支持されている（図５参照）。尚、上部及び下部支持レール１７，１８は、上部及び中間部フレーム３，５の長手方向の全長に渡って延設されており、上部及び下部支持レール１７，１８の長さは、上部及び中間部フレーム３，５の長さとほぼ同じになっている。
【００２１】
また、固定パネル体１３は、その上下方向の長さが上部及び中間部フレーム３，５間の長さと略同一となっており、その左右方向の長さが上部及び中間部フレーム３，５の左右方向の長さと同寸に形成されている。そして、固定パネル体１３の上端縁が上部フレーム３の下面に取り付けられた上部支持レール１７に支持されるとともに（図４参照）、その下端縁が中間部フレーム５の上面に取り付けられた下部支持レール１８に支持されている（図５参照）。更に、固定パネル体１３の左右方向の長さは、上部及び中間部フレーム３，５の長手方向の長さと略同一となっており、固定パネル体１３の左右側端縁は、ポール２に取り付けられた側部支持レール１９に支持されている（図６参照）。
【００２２】
図３及び図６に示すように、本実施例のポール２には、垂直方向に８本の溝条２０が等間隔に形成されている。この８本の溝条２０は、それぞれ外周方向に開口するあり溝形状に形成されている。ポール２の端部から溝条２０内に、溝条２０に嵌合される取付部材２１が挿設され、上部及び中間部フレーム３，５に対応する位置に取付部材２１が配置される。
【００２３】
また、上部及び中間部フレーム３，５の左右端部には、支持ブラケット２２が取り付けられており、この支持ブラケット２２は、挿通孔２３内に挿通されたボルト２５によって上部及び中間部フレーム３，５に螺着される。更に、支持ブラケット２２には、斜め方向にボルト２６を挿設可能な傾斜挿通孔２４が形成されている。この傾斜挿通孔２４内に、後述する上部及び中間部フレーム３，５の上下面に形成された係合溝２７，２８内からボルト２６が挿通されて取付部材２１に螺着されることで、支持ブラケット２２がポール２に連結されるようになっている。
【００２４】
尚、支持ブラケット２２を上部及び中間部フレーム３，５に連結するボルト２５は、取付部材２１により隠蔽されるとともに、支持ブラケット２２を取付部材２１に連結するボルト２６は、上部及び中間部フレーム３，５の係合溝２７，２８内に配置されるため、外部から見え難いようになっている。
【００２５】
図４及び図５に示すように、上部及び中間部フレーム３，５は、同一形状をなしており、その前後両面には、前述した取付溝１５，１６が形成されているとともに、その上面及び下面には、前述した係合溝２７，２８が形成されている。尚、取付溝１５，１６及び係合溝２７，２８は、開口部よりも内部が広がっており、側面視で略Ｃ字形状をなすあり溝として形成されている。
【００２６】
図４及び図５に示すように、上部及び中間部フレーム３，５に取り付けられる上部及び下部支持レール１７，１８は、上部及び中間部フレーム３，５の上下面に形成された係合溝２７，２８に係合される係合凸部２９，３０を有している。また、上部及び下部支持レール１７，１８の幅方向（前後方向）の中央部には、固定パネル体１３の上下端縁を支持する第１溝条３１，３２が形成されている。更に、上部及び下部支持レール１７，１８の幅方向（前後方向）の中央部は、上部及び中間部フレーム３，５の幅方向（前後方向）の中央部と同一位置となっている。
【００２７】
尚、第１溝条３１，３２は、前後に設けられた一対の保持片３１ａ，３２ａにより形成され、第１溝条３１，３２の幅方向の寸法は、固定パネル体１３の厚みとほぼ同じ寸法に形成されており、第１溝条３１，３２に上下端縁が嵌合された固定パネル体１３は、ぐらつくことなく支持される。更に尚、第１溝条３１，３２の奥面には、貫通孔３１ｂ，３２ｂが形成されており、螺子部材３５，３６が第１溝条３１，３２内から貫通孔３１ｂ，３２ｂに挿設されて上部及び中間部フレーム３，５に螺着されることで、上部及び下部支持レール１７，１８が上部及び中間部フレーム３，５に取り付けられるようになっている。
【００２８】
また、上部及び下部支持レール１７，１８における第１溝条３１，３２の前部及び後部には、移動パネル体１４の上下端縁を支持する第２溝条３３，３４が形成されている。尚、本実施例では、前部に形成された第２溝条３３，３４に移動パネル体１４が支持される構成となっているが、後部に形成された第２溝条３３，３４に移動パネル体１４を支持させてもよい。
【００２９】
更に、上部及び下部支持レール１７，１８の第１溝条３１，３２の奥行寸法（深さ）は、第２溝条の奥行寸法（深さ）よりも大きくなるように形成されており、第１溝条３１，３２は固定パネル体１３を強固に支持するとともに、第２溝条３３，３４は移動パネル体１４を着脱可能に支持するようになっている。尚、移動パネル体１４の上下端縁には、該上下端縁の左右方向に延設された端縁部材３７が設けられている。この端縁部材３７の表面は、側面視で略Ｕ字形状をなしており、湾曲するラウンド面３７ａが形成されている。
【００３０】
図４に示すように、上部支持レール１７の第２溝条３３の開口部には、外方に向かって突出された突出条３８が形成され、この突出条３８は、上方に行くに従い上部支持レール１７の幅方向の中央部に向かって傾斜される傾斜面３８ａを有している。そのため第２溝条３３が上方に行くに従って広がる形状となり、移動パネル体１４の上端縁を斜め下方から第２溝条３３に挿入し、その後、移動パネル体１４を垂直状態に立設すれば、移動パネル体１４の上端縁が第２溝条３３の開口部により前後両面から支持されるようになる。
【００３１】
図５に示すように、下部支持レール１８の第２溝条３４の奥面（底面）には、移動パネル体１４の下縁に設けられた端縁部材３７が摺接される摺接部材３９が、第２溝条３４の長手方向に沿って貼り付けられている。この摺接部材３９は、その表面にフッ素樹脂加工が施されており、移動パネル体１４を左右方向に移動させた際に、下方の端縁部材３７が下部支持レール１８に摺接されることで生じる摩擦抵抗を低減させるようになっている。
【００３２】
また、下部支持レール１８の第２溝条３４の幅方向の寸法は、移動パネル体１４の厚み、すなわち端縁部材３７の厚みとほぼ同じ寸法に形成されており、第２溝条３４に下端縁が嵌合された移動パネル体１４は、その下端がぐらつくことなく支持される。
【００３３】
図３に示すように、上部支持レール１７の左右端部とポール２との間には、上部エンドカバー４０が取り付けられるとともに、下部支持レール１８の左右端部とポール２との間には、下部エンドカバー４１が取り付けられるようになっている。
【００３４】
図７（ａ）に示すように、上部エンドカバー４０には、ポール２の溝条２０に係合される係合凸部４２が設けられている。また、上部エンドカバー４０には、ポール２の外周面に沿って配置されるように湾曲面４３が形成されている。また、図７（ｂ）に示すように、上部エンドカバー４０の中央部には、固定パネル体１３の上端角部が嵌合される嵌合溝４４が形成されている。更に、図７（ｃ）に示すように、上部エンドカバー４０には、上部支持レール１７に向かって突出する３つの突出凸部４５が設けられており、各々の突出凸部４５は、第１及び第２溝条３１，３３の内面に嵌合されるようになっている（図４参照）。
【００３５】
図８（ａ）に示すように、下部エンドカバー４１には、ポール２の溝条２０に係合される係合凸部４６が設けられている。また、下部エンドカバー４１には、ポール２の外周面に沿って配置されるように湾曲面４７が形成されている。また、図８（ｂ）に示すように、下部エンドカバー４１の中央部には、固定パネル体１３の下端角部が嵌合される嵌合溝４８が形成されている。更に、図８（ｃ）に示すように、下部エンドカバー４１には、下部支持レール１８に向かって突出する４つの突出凸部４９が設けられており、前後２つの突出凸部４９は、第２溝条３４の内面に嵌合されるとともに、中央の２つの突出凸部４９は、下部支持レール１８の第１溝条３２と第２溝条３４との間に形成された空隙部に嵌合されるようになっている（図５参照）。
【００３６】
図３及び図６に示すように、上部エンドカバー４０と下部エンドカバー４１との間には、固定パネル体１３の左右側端縁を支持する側部支持レール１９が設けられている。この側部支持レール１９は、上部エンドカバー４０と下部エンドカバー４１との間で、ポール２に沿って上下方向に延設されており、ポール２の溝条２０に係合される係合凸部５０を有している。尚、側部支持レール１９における固定パネル体１３側には、固定パネル体１３の側端縁を支持する溝条５１が形成さている。
【００３７】
このように上部及び下部エンドカバー４０，４１と側部支持レール１９とで、固定パネル体１３の側縁とポール２との間が完全に閉塞されるようになっており、上部フレーム３と中間部フレーム５とポール２とで囲まれた領域を、固定パネル体１３と上部及び下部エンドカバー４０，４１と側部支持レール１９とで、完全に閉塞できるようになっている。
【００３８】
図３を参照して固定パネル体１３の取付方法について説明すると、共有空間構造体１を組み立てる際に、最初にポール２を立設した状態で２本のポール２の間に中間部フレーム５を配置し、中間部フレーム５の左右端の支持ブラケット２２の２つの傾斜挿通孔２４にボルト２６を挿通してポール２と連結する。
【００３９】
次に、中間部フレーム５の上面に下部支持レール１８を螺着するとともに、左右のポール２に側部支持レール１９を取り付ける。そして、固定パネル体１３を下部支持レール１８及び側部支持レール１９に支持させて、その後、予め上部支持レール１７が螺着された状態の上部フレーム３を固定パネル体１３の上方に配置し、上部フレーム３の左右端の支持ブラケット２２の２つの傾斜挿通孔２４のうち、上方の傾斜挿通孔２４のみにボルト２６を挿通してポール２と連結する。尚、下方の傾斜挿通孔２４には、固定パネル体１３が配置されるため、ボルト２６を挿通できないようになっている。
【００４０】
図２に示すように、中間部フレーム５の下方には、前述したブラインド部９が設けられている。このブラインド部９には、左右方向に延びる角柱形状をなす複数の矩形部材５２が上下方向に並んで配置されており、これらの矩形部材５２は床面Ｙから中間部フレーム５まで延びるように配置された支柱部材５３により互いに連結されている。
【００４１】
尚、本実施例では、矩形部材５２と支柱部材５３とによりブラインド部９が構成されている。このようにブラインド部９を複数の並設された矩形部材５２により構成することで、ブラインド部９を用いて共有空間を外部空間から隠蔽しつつ、矩形部材５２同士に隙間から共有空間構造体１の中にいる人の足元を確認できるため、ホワイトボード部８の外方側にいる者が、共有空間構造体１内部の共有空間が、使用中なのか否かを容易に確認できるようになっている。
【００４２】
図５及び図９に示すように、支柱部材５３は、その下端に取り付けられたアジャスタ５４により床面Ｙに立設されている。また、支柱部材５３の上端には、Ｔ字状支持具５５が取り付けられており、Ｔ字状支持具５５が中間部フレーム５の下面の係合溝２８に係合されることで、支柱部材５３が中間部フレーム５に取り付けられる。
【００４３】
図９に示すように、Ｔ字状支持具５５は略円筒形に形成され、上部材５６と下部材５７とに分割できるようになっている。上部材５６及び下部材５７は、それぞれ形設した段部５６ａ，５７ａ同士を嵌め合わせて全体が略円筒形状になっており、水平方向から下部材５７の孔部５７ｂに挿通されて上部材５６に螺合されるネジ５８によって、両部材５６，５７が互い連結されるようになっている。尚、上部材５６には、上端が略Ｔ字形状をなす係合Ｔ字状部５６ｂが形成されている。
【００４４】
支柱部材５３を中間部フレーム５に取り付ける際には、先ず、Ｔ字状支持具５５を分割した状態で、その上部材５６の係合Ｔ字状部５６ｂを中間部フレーム５の下面の係合溝２８に下方から挿入して、上部材５６９０°回転させる。すると、係合Ｔ字状部５６ｂはあり溝形状をなす係合溝２８から抜けない状態となり、この状態で水平方向から支柱部材５３の上端に取り付けられた下部材５７をネジ５８により螺合させる。
【００４５】
このようにすることで、中間部フレーム５とポール２と床面Ｙとで囲まれた領域が、支柱部材５３により連結された複数の矩形部材５２によって閉塞される。そして、支柱部材５３の下端のアジャスタ５４を操作することで、支柱部材５３が中間部フレーム５と床面Ｙとの間で突っ張り支持される。尚、このとき支柱部材５３は、中間部フレーム５と床面Ｙとを離間させる方向に荷重を加えるようになっている。
【００４６】
図５に示すように、最上段の矩形部材５２の上面には、側面視で上方に開口する略コ字形状をなすダクトカバー受材５９が固着されている。尚、本実施例では、矩形部材５２の上面の３箇所にダクトカバー受材５９が配置されており（図２参照）、このダクトカバー受材５９に対応した位置に、クリップ部６０ａを有するダクトカバー６０が設けられている。
【００４７】
ダクトカバー６０は、クリップ部６０ａをダクトカバー受材５９の前後の端片５９ａに取り付けることで、ダクトカバー受材５９の前後に取り付けられるようになっている。このダクトカバー受材５９とダクトカバー６０とで、前述した配線ダクト１０が形成される。尚、配線ダクト１０内に配線を行う際は、ダクトカバー受材５９の前後に取り付けられたダクトカバー６０のいずれか一方を取り外した状態で配線を行い、その後再びダクトカバー６０をダクトカバー受材５９に取り付ければよい。
【００４８】
以上説明したように、本発明の実施例としての共有空間構造体１にあっては、上部フレーム３の下面及び中間部フレーム５の上面には、両フレーム３，５の長手方向に延びる上部及び下部支持レール１７，１８が取り付けられ、固定パネル体１３が上部及び下部支持レール１７，１８における幅方向の中央部に取り付けられるとともに、移動パネル体１４が上部及び下部支持レール１７，１８における幅方向の前部及び後部の少なくとも一方に取り付けられ、移動パネル体１４が両フレーム３，５の長手方向に移動可能になっていることで、上部及び中間部フレーム３，５の形状に係らず上部及び下部支持レール１７，１８を介して固定パネル体１３及び移動パネル体１４を組み合わせることができ、かつ上部及び下部支持レール１７，１８により固定及び移動パネル体１３，１４が安定的に支持され、両フレーム３，５の長手方向のいかなる部位であっても移動パネル体１４を設置できるとともに、固定パネル体１３を両フレーム３，５の幅方向の中央部に支持して、その前部または後部に移動パネル体１４を支持できるため、固定パネル体１３を中心として安定的に移動パネル体１４を支持することができ、かつ上部及び下部支持レール１７，１８の幅方向における両パネル体１３，１４の配置位置が異なるため、固定パネル体１３が移動パネル体１４の移動の邪魔にならずに済むようになり、移動パネル体をフレーム３，５の長手方向の全長に渡って移動させることができる。
【００４９】
また、固定パネル体１３が、上部及び下部支持レール１７，１８に移動不能に取り付けられていることで、固定パネル体１３によって共有空間と外部空間とを固定的に仕切ることができる。
【００５０】
また、固定及び移動パネル体１３，１４の上下端縁が、上部及び下部支持レール１７，１８の長手方向に延設された第１及び第２溝条３１，３２，３３，３４により支持されていることで、各パネル体１３，１４を各支持レール１７，１８における長手方向のいずれの位置であっても設けることができるばかりか、各溝条３１，３２，３３，３４により各パネル体１３，１４の上下端縁が強固に支持される。
【００５１】
また、移動パネル体１４の上端縁を支持する第２溝条３３の開口部には、外方に向かって突出された突出条３８が形成され、この突出条３８が上方に行くに従い上部支持レール１７の中央部に向かって傾斜される傾斜面３８ａを有することで、移動パネル体１４の上端縁を支持する第２溝条３３が上方に行くに従って広がる形状となり、移動パネル体１４の上端縁を斜め下方から第２溝条３３に挿入し、その後、移動パネル体１４を垂直状態に立設すれば、移動パネル体１４の上端縁が第２溝条３３の開口部により前後両面から支持されるようになり、移動パネル体１４の取付作業を容易に行える。
【００５２】
また、上部フレーム３の下面及び中間部フレーム５の上面には、上部及び下部支持レール１７，１８の中央部に形成された係合凸部２９，３０が係合される係合溝２７，２８が形成されており、係合凸部２９，３０を貫通した螺子部材３５，３６がフレーム３，５に螺着されることで、上部及び下部支持レール１７，１８が上部及び中間部フレーム３，５に対して取り付けられた際に、各支持レール１７，１８がぐらつくことなく強固に取り付けられ、移動パネル体１４が各支持レール１７，１８の前部または後部に取り付けられても、移動パネル体１４の荷重により各支持レール１７，１８が傾くようなことがなくなるばかりか、螺子部材３５，３６が各支持レール１７，１８の中央部に取り付けられた固定パネル体１３によって隠蔽されるようになる。
【００５３】
また、少なくとも移動パネル体１４が、ホワイトボードにより構成されていることで、共有空間を外部空間と仕切るパネル体１３，１４をホワイトボードとして兼用させることができ、共有空間において会議等を行う際に便利である。尚、移動パネル体１４は、固定パネル体１３よりも外方側に配置されるため、移動パネル体１４の清掃や着脱を容易に行うことができる。
【００５４】
更に尚、移動パネル体１４及び固定パネル体１３を、ホワイトボードとすれば、打ち合わせに際し、スライドするホワイトボードと、固定されたホワイトボードとに分けて使用できるようになり、ホワイトボード部８の利便性が向上する。
【００５５】
以上、本発明の実施例を図面により説明してきたが、具体的な構成はこれら実施例に限られるものではなく、本発明の要旨を逸脱しない範囲における変更や追加があっても本発明に含まれる。
【００５６】
例えば、前記実施例では、第１パネル体としての固定パネル体１３の左右方向の長さを、上部及び中間部フレーム３，５の長手方向の長さと略同一にするとともに、上部及び中間部フレーム３，５に対して固定されたパネル体１３，１４として説明してきたが、第１パネル体の左右方向の長さを、上部及び中間部フレーム３，５の左右方向の長さよりも短寸に形成し、上部及び中間部フレーム３，５に対して左右方向に移動可能なパネル体としてもよい。
【００５７】
また、前記実施例では、中間部フレーム５が２本のポール２，２間の上下方向の略中央位置に架設しているが、中間部フレーム５は少なくともポール２，２における上部フレーム３よりも下方位置に架設されていればよく、例えば、中間部フレーム５をポール２，２の下端位置に架設してもよい。
【図面の簡単な説明】
【００５８】
【図１】本実施例における共有空間構造体の全体像を示す斜視図である。
【図２】共有空間構造体を示す正面図である。
【図３】フレームとポールの連結状態を示す要部拡大正面図である。
【図４】図２における上部フレームを示すＡ−Ａ拡大縦断側面図である。
【図５】図２における中間部フレームを示すＡ−Ａ拡大縦断側面図である。
【図６】図２におけるポールを示すＢ−Ｂ横断平面図である。
【図７】（ａ）は、上部エンドカバーを示す平面図であり、（ｂ）は、上部エンドカバーを示す側面図であり、（ｃ）は、上部エンドカバーを示す正面図である。
【図８】（ａ）は、下部エンドカバーを示す平面図であり、（ｂ）は、下部エンドカバーを示す側面図であり、（ｃ）は、下部エンドカバーを示す正面図である。
【図９】第２閉塞部材が中間部フレームに取り付けられる状態を示す縦断側面図である。
【符号の説明】
【００５９】
１                共有空間構造体（フレーム構造体）
２                ポール
３                上部フレーム
４                開放領域
５                中間部フレーム（下部フレーム）
７                パネル装置（オプション部材）
８                ホワイトボード部（第１閉塞部材）
９                ブラインド部（第２閉塞部材）
１０              配線ダクト（配線収納部）
１２              パソコン支持台（オプション部材）
１３              固定パネル体（第１パネル体）
１４              移動パネル体（第２パネル体）
１５，１６        取付溝
１７              上部支持レール（支持体）
１８              下部支持レール（支持体）
１９              側部支持レール
２７，２８        係合溝（あり溝）
２９，３０        係合凸部
３１，３２        第１溝条（嵌合溝）
３１ａ，３２ａ    保持片
３３，３４        第２溝条
３５，３６        螺子部材
３８              突出条
３８ａ            傾斜面
５２              矩形部材
５３              支柱部材
５４              アジャスタ
５５              Ｔ字状支持具
Ｙ                床面
【図１】
0005065858.tif 000002
【図２】
0005065858.tif 000003
【図３】
0005065858.tif 000004
【図４】
0005065858.tif 000005
【図５】
0005065858.tif 000006
【図６】
0005065858.tif 000007
【図７】
0005065858.tif 000008
【図８】
0005065858.tif 000009
【図９】
0005065858.tif 000010